(57)【要約】【課題】使用上の不具合を最小限に抑え、表示の輝度を低下して表示素子の長寿命化、省電力化を図る。【解決手段】電１を電源として駆動する制御部２と、前記制御部２に操作信号を入力する入力手段１６と、前記制御部２からの出力信号で燃焼状態を調節する負荷部３、４と、燃焼状態を表示する表示手段５を備え、前記表示手段５は前記制御部２から点火信号が出力されたとき起動する第１タイマー手段がタイムアップすると、所定の輝度に低下させる構成としている。【選択図】図１
2006064275.tif 000002
【特許請求の範囲】
【請求項１】
電池を電源として駆動する制御部と、前記制御部に操作信号を入力する入力手段と、前記制御部からの出力信号で燃焼状態を調節する負荷部と、燃焼状態を表示する表示手段を備え、前記表示手段は、前記制御部から点火信号が出力されたとき起動する第１タイマー手段がタイムアップすると、所定の輝度に低下させる構成とした調理機器の表示装置。
【請求項２】
表示手段は、制御部から点火信号が出力されると起動する第１タイマー手段がタイムアップするまで、所定の周期で徐々に輝度を低下させるようにした請求項１記載の調理機器の表示装置。
【請求項３】
火力調節指示入力手段を設け、火力調節指示信号が入力されると表示手段の輝度を点火時初期状態に戻すとともに、前記火力調節指示信号で起動する第２タイマー手段がタイムアップするまでその状態を維持し、その後、所定の輝度に低下させるようにした請求項１または２記載の調理機器の表示装置。
【請求項４】
火力調節指示入力手段を設け、火力調節指示信号が入力されると表示手段の輝度を点火時初期状態に戻すとともに、前記火力調節指示信号で起動する第２タイマー手段がタイムアップするまでその状態を維持し、その後、所定の輝度まで徐々に低下させるようにした請求項１または２記載の調理機器の表示装置。
【発明の詳細な説明】
【技術分野】
【０００１】
本発明は、火力表示等、調理情報の表示に関して表示輝度を最適化し、表示素子の長寿命化や省電力化を図るようにした調理機器の表示装置に関するものである。
【背景技術】
【０００２】
従来、この種の調理機器の表示装置は、その表示時間が長時間に及ぶことから表示素子の劣化を防止するため輝度を下げる提案がされている（例えば、特許文献１参照）。
【０００３】
図６は特許文献１に記載された従来の調理機器の表示装置を示すものである。図６に示すように人体検知手段６、制御回路１１、表示素子４により構成されている。
【特許文献１】特開平７−２１７９０９号公報
【発明の開示】
【発明が解決しようとする課題】
【０００４】
しかしながら、前記従来の構成では人体を検知し、人の存在の有無により輝度を変更したり、周囲の明るさに応じて輝度を調整する構成の為、超音波センサ７、８で構成する人体検知手段や明るさを検知する光検出手段９が必要であり、製造コストが増加する不具合がある。
【０００５】
本発明は、前記従来の課題を解決するもので、専用の部品を追加することなく、使用上における不具合を最小限にして、表示素子の長寿命化、省電力化を実現した調理機器の表示装置の提供を目的とする。
【課題を解決するための手段】
【０００６】
前記従来の課題を解決するために、本発明の調理機器の表示装置は、電池を電源として駆動する制御部と、前記制御部に操作信号を入力する入力手段と、前記制御部からの出力信号で燃焼状態を調節する負荷部と、燃焼状態を表示する表示手段を備え、前記表示手段は前記制御部から点火信号が出力されたとき起動する第１タイマー手段がタイムアップすると、所定の輝度に低下させる構成としたものである。
【０００７】
これによって、点火操作後、使用者が燃焼状態の表示、即ち火力表示を確認すると想定される時間が経過した後は、表示素子の輝度を低下させて表示素子の長寿命化や省電力化による電池寿命の長期化が図れる。
【発明の効果】
【０００８】
本発明の調理機器の表示装置は、専用の部品を付加することなく輝度を低下することができ、表示素子の長寿命化および省電力化が図れる。
【発明を実施するための最良の形態】
【０００９】
第１の発明は、電池を電源として駆動する制御部と、前記制御部に操作信号を入力する入力手段と、前記制御部からの出力信号で燃焼状態を調節する負荷部と、燃焼状態を表示する表示手段を備え、前記表示手段は前記制御部から点火信号が出力されたとき起動するタイマー手段がタイムアップすると、所定の輝度に低下させる構成としたことを特徴とするもので、点火操作後、使用者が燃焼状態の表示、即ち火力表示を確認すると想定される時間が経過した後は、表示素子の輝度を低下させて表示素子の長寿命化や省電力化による電池寿命の長期化が図れる。
【００１０】
第２の発明は、表示手段は制御部から点火信号が出力されると起動する第１タイマー手段がタイムアップするまで、所定の周期で徐々に輝度を低下させるようにしたことを特徴とするもので、点火操作後、使用者が燃焼状態の表示、即ち火力表示を確認すると想定される時間が経過する間、表示素子の輝度を徐々に低下させることで、急激に輝度を低下させた場合に比べて、使用者に対して表示素子が暗くなったという感覚を和らげることができ、使用感の向上を図りつつ表示素子の長寿命化や省電力化による電池寿命の長期化が図れる。
【００１１】
第３の発明は、火力調節指示入力手段を設け、火力調節指示信号が入力されると表示手段の輝度を点火時初期状態に戻すとともに、前記火力調節指示信号で起動する第２タイマー手段がタイムアップするまでその状態を維持し、その後、所定の輝度に低下するようにしたことを特徴とするもので、輝度低下状態から火力調節指示を行った所定時間だけ、表示装置の輝度を点火初期状態の明るさに戻すことで、使用状態の確認をし易くするとともに、所定時間経過後、再度、輝度を低下させることで、表示素子の長寿命化、省電力化を図ることができる。
【００１２】
第４の発明は、火力調節指示入力手段を設け、火力調節指示信号が入力されると表示手段の輝度を点火時初期状態に戻すとともに、前記火力調節指示信号で起動する第２タイマー手段がタイムアップするまでその状態を維持し、その後、所定の輝度まで徐々に低下するようにしたことを特徴とするもので、輝度低下状態から火力調節指示を行った所定時間だけ、表示装置の輝度を点火初期状態の明るさに戻すことで、使用状態の確認をし易くするとともに、所定時間経過後、徐々に輝度を低下させることで、急激に輝度を低下させた場合に比べて、使用者に対して表示素子が暗くなったという感覚を和らげることができ、使用感の向上を図りつつ表示素子の長寿命化や省電力化による電池寿命の長期化が図れる。
【００１３】
以下、本発明の実施の形態について、図面を参照して説明する。なお、本実施の形態によって本発明が限定されるものではない。
【００１４】
（実施の形態１）
図１は、本発明の第１の実施の形態における調理機器の表示装置の回路構成図、図５は同調理機器の外観図である。
【００１５】
図において、電池１は燃焼を制御するマイコン２で構成される制御部に電源を供給するものである。スイッチ１６は燃焼部の点火、消火を指示するスイッチ、スイッチ１７、１８は火力調節のスイッチであり火力調節指示入力手段を構成している。各スイッチはマイコン２に接続され、マイコン２に入力される。電磁弁３、点火器４はマイコン２からの出力により制御される負荷部で、点火、燃焼時にガスの開弁や流量調節及び点火を行う。
【００１６】
トランジスタ１１〜１５は、マイコン２により駆動され、火力表示等を行う表示装置５を構成するＬＥＤ６〜１０の点灯、消灯を制御する。
【００１７】
以上のように構成された調理機器の表示装置について、以下その動作、作用について説明する。
【００１８】
図２は、調理機器の動作を示すフローチャートである。
【００１９】
まず、Ｓ１ステップでは点消火スイッチ１６が押されているかチェックして、押されるまでチェックを繰り返し、押されたらＳ２ステップで電磁弁３を開弁し、点火器４を動作させ放電して点火する。その後、Ｓ３ステップで火力表示手段５を点灯して火力を表示する。この場合、火力表示手段であるＬＥＤ６〜ＬＥＤ１０を、図３の１８に示すようにデューティ１００％で駆動することにより高輝度で点灯する。Ｓ４ステップでは点火信号で起動する第１タイマー手段がタイムアップ（例えば、１分経過したか）したかを判断して、経過していればＬＥＤ６〜ＬＥＤ１０を、図３の１９で示すようにデューティ５０％で駆動して輝度を下げた状態で点灯する。
【００２０】
このように、点火信号で起動する第１タイマー手段がタイムアップするまでは、火力表示手段５をデューティ１００％で点灯して操作視認性を向上し、タイムアップした後はデューティ５０％で点灯するようにして表示素子の長寿命化、省電力化を図る。
【００２１】
なお、本実施の形態では、輝度の変更手段としてデューティ１００％から５０％の切り換えで説明したが、上記デューティ比以外の切り換えでもよく、また、点火操作からの経過時間に応じてデューティ比を段階的に変更し、徐々に輝度を低下させるようにして、使用者が暗くなったことを感じないような変更手段を用いてもよいものである。
【００２２】
（実施の形態２）
図４は、本発明の第２の実施形態における調理機器の表示装置の動作を示すフローチャートである。
【００２３】
以下その動作、作用について、図４を用いて説明する。
【００２４】
Ｓ５ステップまでは第１の実施の形態と同様であるので説明を省略する。Ｓ６ステップでは火力キー１７、１８が押されたか判断して、押されるとＳ７ステップで火力表示を点火時と同様、高輝度で表示する。
【００２５】
その後、Ｓ８ステップでは火力調節指示信号で起動する第２タイマー手段がタイムアップ（例えば、１分経過したか）したかを判断して、経過していればＳ５ステップへ戻り再度、低輝度での火力表示をする。輝度の変更手段としては上記実施の形態１と同じであり説明を省略する。
【００２６】
このように、火力調節指示信号が入力されると表示装置５の輝度を省電力モードから点火初期の明るさに戻すことで、操作視認性を向上し、同時に火力調節指示信号で起動する第２タイマー手段がタイムアップした後は再度省電力モードに変更することで、表示素子の長寿命化、省電力化を図るようにしている。
【００２７】
また、第２タイマー手段がタイムアップした後、経過時間に応じてデューティ比を段階的に変更し、徐々に輝度を低下させるようにして、使用者が暗くなったことを感じないような変更手段を用いてもよいものである。
【図面の簡単な説明】
【００２８】
【図１】本発明の実施の形態１における調理機器の表示装置の回路ブロック図
【図２】同調理機器の表示装置のフローチャート
【図３】同調理機器の表示素子の駆動波形を示す図
【図４】本発明の実施の形態２における調理機器の表示装置のフローチャート
【図５】本発明の実施の形態における調理機器の外観図
【図６】従来の調理機器の回路ブロック図
【符号の説明】
【００２９】
１  乾電池（電池電源）
２  マイコン（制御部）
３  電磁弁（負荷部）
４  点火器（負荷部）
５  表示手段
１６  点消火スイッチ（入力手段）
【図１】
2006064275.tif 000003
【図２】
2006064275.tif 000004
【図３】
2006064275.tif 000005
【図４】
2006064275.tif 000006
【図５】
2006064275.tif 000007
【図６】
2006064275.tif 000008